(57)【要約】      （修正有）【課題】室内干しを行おうとする部屋の環境が洗濯物の乾きやすい、あるいは乾きにくい状態であるかを、使用者が容易かつ即座に視認／判断できるようにした衣類乾燥情報表示計を提供する。【解決手段】情報処理部８は、温度センサー４と湿度センサー５にて測定した温度／湿度情報データを受け、メモリー７に記録されている温度／湿度に基づく衣類乾燥情報を得る。そして情報処理部８は、得られた衣類乾燥情報により室内の温度／湿度が衣類の乾きやすい状態か、乾きにくい状態であるかのレベルを判定し、判定結果に基づき駆動部６を介して表示部３にレベルに応じて図形や数値によりマーク表示を行わせる。【選択図】図２
0003201041.tif 000002
【実用新案登録請求の範囲】
【請求項１】
室内温度を検出する温度センサーと、
室内湿度を検出する湿度センサーと、
気温と湿度とに基づき設定された衣類が乾きやすい環境状態から乾きにくい環境状態までを数段階レベルの衣類乾燥情報として記録したメモリーと、
前記各センサーにより検出された室内温度と室内湿度とに基づき、いずれのレベルの衣類乾燥情報であるかを前記メモリーから読み取る情報処理部と、
前記情報処理部により読み取られたレベルの情報に応じた表示を行う表示部と、
を備えたことを特徴とする衣類乾燥情報表示計。
【請求項２】
前記表示部が、前記レベルの情報に基づき図形表示を行うことを特徴とする請求項１記載の衣類乾燥情報表示計。
【請求項３】
前記表示部が、前記各センサーにより検出された温度と湿度とを数表示することを特徴とする請求項１または２記載の衣類乾燥情報表示計。
【請求項４】
衣類乾燥情報表示計本体の外側に、引掛け部材を突設したことを特徴とする請求項１記載の衣類乾燥情報表示計。
【考案の詳細な説明】
【技術分野】
【０００１】
本考案は、室内の温度と湿度を計測し、その温湿度に基づいて室内の環境が洗濯物の乾きやすい状況か、乾きにくい状況かを表示する衣類乾燥情報表示計に関する。
【背景技術】
【０００２】
近年、室外でなく室内で洗濯物を干す人が増えている。室内で洗濯物を干す人が増えているのは、天候が悪いということだけではなく、花粉や塵埃などが付着することに対応するため、あるいは労働環境の変化により夜に洗濯する人が多くなっていることも、その要因である。
【０００３】
室内で洗濯物を干して乾かすには、室内の温湿度環境を知ることが必要である。例えば、温度が高く湿度が低ければ乾きやすいし、温度が高くても湿度が高ければ乾きにくい傾向にある。これらの乾きやすい／乾きにくい室内の温湿度環境の判断は、従来、個々人の経験的な勘に頼っていた。
【０００４】
特許文献１には衣類乾燥運転を行うモードを備えた空気調和機が記載されている。この空気調和機は、衣類乾燥運転が指示されたとき、室内温度と室内湿度と室内干しの洗濯物の輻射温度を検出し、最適な運転モードを選択することにより、快適な衣類乾燥を行おうとするものである。
【先行技術文献】
【特許文献】
【０００５】
【特許文献１】特開２００６−９７９１９号公報
【考案の概要】
【考案が解決しようとする課題】
【０００６】
しかし、特許文献１に記載の空気調和機では、干そうとする室内環境が洗濯物を干すのに最適な環境であるのか否かを、使用者が確認する手段を備えていない。
【０００７】
このため、特許文献１に記載の空気調和機では、使用者が室内干しを行うと判断するための情報が得られない。また、住居環境によって洗濯物を干す場所や位置も異なるし、部屋の使用状態に応じて、空気調和機が設置されていない部屋で洗濯物を干さなくてはならない場合も生じる。
【０００８】
例えば、二階建て家屋の一階に空気調和機が設置されている場合、空気調和機を用いて二階の自室で部屋干しを行うことは困難であるし、強いて行おうとすれば、空気調和機を一階から二階まで自力で移動させなくてはならない。空気調和機が移動可能な構造であっても、このことは女性にとって、かなりの重労働である。
【０００９】
そこで本考案は、前記従来の課題を解決し、設置／移動も簡単かつ容易であって、室内干しを行おうとする部屋の環境が洗濯物の乾きやすい、あるいは乾きにくい状態であるかを、使用者が容易かつ即座に視認／判断できるようにした衣類乾燥情報表示計を提供することを目的とする。
【課題を解決するための手段】
【００１０】
本考案の衣類乾燥情報表示計は、室内温度を検出する温度センサーと、室内湿度を検出する湿度センサーと、気温と湿度とに基づき設定された衣類が乾きやすい環境状態から乾きにくい環境状態までを数段階レベルの衣類乾燥情報として記録したメモリーと、前記各センサーにより検出された室内温度と室内湿度とに基づき、いずれのレベルの衣類乾燥情報であるかを前記メモリーから読み取る情報処理部と、前記情報処理部により読み取られたレベルの情報に応じた表示を行う表示部とを備えたことを特徴とする。
【００１１】
また本考案の衣類乾燥情報表示計は、前記表示部が、前記レベルの情報に基づき図形表示を行うことを特徴とする。
【００１２】
また本考案の衣類乾燥情報表示計は、前記表示部が、前記各センサーにより検出された温度と湿度とを数表示することを特徴とする。
【００１３】
また本考案の衣類乾燥情報表示計は、衣類乾燥情報表示計本体の外側に、引掛け部材を突設したことを特徴とする。
【考案の効果】
【００１４】
本考案の衣類乾燥情報表示計によれば、衣類が乾きやすい環境状態から乾きにくい環境状態までを数段階のレベルの衣類乾燥情報として表示するものであるため、室内干しを行おうとする部屋の環境が洗濯物を干すのに適した状態であるかを、使用者が容易かつ即座に視認／判断できる。
【００１５】
しかも、基本的に温度センサー、湿度センサー、メモリー、情報処理部、表示部からなるコンパクトな構造の計器であるため、一般使用者でも設置／移動が簡単かつ容易であり、使用上の煩雑さがない。
【図面の簡単な説明】
【００１６】
【図１】本考案に係る衣類乾燥情報表示計の実施形態の平面図である。
【図２】本実施形態における衣類乾燥情報の計測・制御系の構成を示すブロック図である。
【図３】本実施形態における衣類乾燥情報（よく乾く）の表示例の説明図である。
【図４】本実施形態における衣類乾燥情報（乾きやすい）の表示例の説明図である。
【図５】本実施形態における衣類乾燥情報（ふつう）の表示例の説明図である。
【図６】本実施形態における衣類乾燥情報（乾きにくい）の表示例の説明図である。
【考案を実施するための形態】
【００１７】
以下、本考案の好適な実施形態を図面に基づいて説明する。
【００１８】
図１において、１はシャツ形状にデザイン化された衣類乾燥情報表示計の本体、２は本体１の上部に突設されて、物干し竿やピンチハンガーなどに掛けるために用いる引掛け部材であるフック、３は液晶表示ユニットからなる表示部である。
【００１９】
本体１の内部には、図２に示す構成の衣類乾燥情報の計測・制御系が設置されており、図２において、４は温度センサー、５は湿度センサー、６は表示部３の駆動部、７は、衣類が乾きやすい環境状態から乾きにくい環境状態までが数段階レベルの衣類乾燥情報として、データテーブル化されて記録されているメモリーである。
【００２０】
８は、温度センサー４、湿度センサー５にて測定／検出された温度／湿度情報データを受け、メモリー７のデータテーブルを参照し、当該温度／湿度が衣類乾燥情報のいずれのレベルであるかを判定し、判定結果に基づき駆動部６を介して表示部３にレベル表示を行わせる情報処理部（ＣＰＵ：中央演算処理ユニット）である。メモリー７は情報処理部８内に格納してもよい。
【００２１】
本実施形態では、図１，図３〜図６に示すように、衣類が乾きやすいレベルから乾きにくいレベルを４段階にして、表示部３の右側にシャツのマーク９の数にて表すようにしている。また表示部３の左側には測定された温度／湿度を表示している。
【００２２】
本実施形態では、衣類が乾きやすい／乾きにくいとする室内環境の判断を温度と湿度との関連によって設定している。本例では、図３に示す表示が「よく乾く」状態（シャツマーク４個）、図４に示す表示が「乾きやすい」状態（シャツマーク３個）、図５に示す表示が「ふつう」状態（シャツマーク２個）、図６に示す表示が「乾きにくい」状態（シャツマーク１個）である。
【００２３】
本実施形態における衣類乾燥情報を得るために、実際に恒温室に所定の水分を含ませた衣類を干し、温度と湿度とを変えて、その乾きの程度を実測するテストを行い。干したときの温度と湿度のデータと干した衣類の残留水分量とを実測した。そして最終的に本例では、上記の「よく乾く」から「乾きにくい」までの４段階に区分した。
【００２４】
さらに、「よく乾く」から「乾きにくい」までの各段階において、対応した温度と湿度との関連をそれぞれ数組の関連情報として設定し、それを「乾きやすさ指数」として、まとめてデータテーブル化し、メモリー７に記録させた。
【００２５】
なお、本実施形態では、衣類が乾きやすいレベルから乾きにくいレベルを４段階にしたが、この段階数に限定されず、また各レベルの表示も図示したようなシャツのマークに限定されず、他のアイコン表示あるいは数表示であってもよい。
【００２６】
さらに、前記実施形態における各部材の形状や配置設置などは、実施に際して仕様などの要求に応じて適宜選択して決定する必要がある。
【産業上の利用可能性】
【００２７】
本考案は、温度と湿度を計測する温湿度計の応用製品として、種々のデザイン展開が可能である。
【符号の説明】
【００２８】
１  衣類乾燥情報表示計の本体
２  フック（引掛け部材）
３  表示部
４  温度センサー
５  湿度センサー
６  表示部の駆動部
７  メモリー
８  情報処理部
９  マーク
【図１】
0003201041.tif 000003
【図２】
0003201041.tif 000004
【図３】
0003201041.tif 000005
【図４】
0003201041.tif 000006
【図５】
0003201041.tif 000007
【図６】
0003201041.tif 000008